(57)【要約】【課題】測定対称の長さ（例えば部材間の隙間へのシーリング材の充填等の施工を行った場合に測定される施工距離）を容易に確認することができるテープを提供することを目的とする。【解決手段】養生テープ１に第１目盛１１及び第２目盛１２を付すことによって、養生テープ１を窓枠８０及び窓ガラス９０に貼付してシーリング材１００の充填を行った後、養生テープ１を窓枠８０又は窓ガラス９０から剥がす前に、施工業者は、測定器具を使用することなく、第１目盛１１及び第２目盛１２に基づいて施工距離を確認することができる。【選択図】図６
2013139505.tif 000002
【特許請求の範囲】
【請求項１】
部材に貼付されるテープにおいて、
テープ本体と、該テープ本体の一面側に設けてある粘着層と、前記テープ本体の他面側に付してあり、前記テープ本体の長手方向に並ぶ目盛とを備えることを特徴とするテープ。
【請求項２】
前記目盛は、
隣合う目盛間の距離を示す第１目盛と、
該第１目盛間の距離のｎ倍（ｎは２以上の整数）の距離毎に付された第２目盛と
を備えることを特徴とする請求項１に記載のテープ。
【請求項３】
前記第１目盛間の距離は１０センチメートルであり、前記ｎは５又は１０であること
を特徴とする請求項２に記載のテープ。
【請求項４】
前記第１目盛は、前記テープ本体の長手方向に直角な方向の線分であり、前記第２目盛は、前記テープ本体の長手方向に直角な方向に延びた前記第１目盛よりも長い線分、多重線又は前記第１目盛よりも太い線であること
を特徴とする請求項２又は３に記載のテープ。
【請求項５】
前記テープは部材間にシーリング材を充填する場合に、前記部材に貼付する養生テープであること
を特徴とする請求項１から４のいずれか一つに記載のテープ。
【発明の詳細な説明】
【技術分野】
【０００１】
本発明は部材に貼付されるテープ、例えばクラックの発生した壁において、クラックの隣に貼付されるテープ又は窓枠と該窓枠に嵌め込んだ窓ガラスとの隙間にシーリング材を充填する作業を行う場合に、窓枠及び窓ガラスへのシーリング材の付着を防止するために窓枠又は窓ガラスの周縁部に貼付されるテープ等に関する。
【背景技術】
【０００２】
一般に窓枠に窓ガラスを取り付ける場合、窓枠の内縁部全周に設けた溝に、窓ガラスの外縁部全体を嵌め込む。窓ガラスの外縁部と窓枠の内縁部との間には隙間があり、該隙間にシリコン又はウレタン等を成分に含むシーリング材を充填し、高い気密性・水密性を実現する。また既設のシーリング材が劣化した場合には、これを除去し、除去後の隙間にシーリング材を充填する。
【０００３】
シーリング材は当初柔軟であり、隙間に充填した後、空気に触れて硬化する。必要以上の量のシーリング材を隙間に充填した場合、シーリング材は隙間から溢れて、窓枠又は窓ガラスに付着し、窓枠又は窓ガラスを汚染する。これを防止するために、シーリング材を隙間に充填する前に、窓枠の内縁部及び窓ガラスの外縁部に養生テープ（例えば特許文献１参照）を貼付する。
【０００４】
隙間から溢れたシーリング材は養生テープ上に付着するので、シーリング材の窓枠又は窓ガラスへの付着を防止することができる。シーリング材の充填作業が終了した後、養生テープは剥がされ、横溢したシーリング材と共に除去される。
【先行技術文献】
【特許文献】
【０００５】
【特許文献１】実用新案登録第３１３２９６号公報
【発明の概要】
【発明が解決しようとする課題】
【０００６】
シーリング部材を充填する施工業者への支払いは、一般的に窓枠又は窓ガラスの全周の長さ（施工距離）に応じて決定される。そのため施工業者は施工距離を測定器具（例えばメジャー）を使用して測定しなければならなかった。
【０００７】
本発明は斯かる事情に鑑みてなされたものであり、測定対称の長さ（例えば部材間の隙間へのシーリング材の充填等の施工を行った場合に測定される施工距離）を容易に確認することができるテープを提供することを目的とする。
【課題を解決するための手段】
【０００８】
本発明に係るテープは、部材に貼付されるテープにおいて、テープ本体と、該テープ本体の一面側に設けてある粘着層と、前記テープ本体の他面側に付してあり、前記テープ本体の長手方向に並ぶ目盛とを備えることを特徴とする。
【０００９】
本発明においては、テープに目盛を付すことによって、例えばテープを窓枠及び窓ガラスに貼付してシーリング材の充填を行った後、テープを窓枠又は窓ガラスから剥がす前に、施工業者は目盛に基づいて施工距離を確認する。
また壁に発生したクラックの長さを測定する場合、テープをクラックの隣に貼付する。テープ及びクラックを収めた写真を撮影し、該写真を示して壁に発生したクラックの長さを説明する。
【００１０】
本発明に係るテープは、前記目盛は、隣合う目盛間の距離を示す第１目盛と、該第１目盛間の距離のｎ倍（ｎは２以上の整数）の距離毎に付された第２目盛とを備えることを特徴とする。
【００１１】
本発明においては、隣合う第１目盛間又は第１目盛及び第２目盛の間を視認することによって、所定距離を確認し、隣合う第２目盛間を視認することによって、所定距離の整数倍（少なくとも２倍以上）の距離を確認する。
【００１２】
本発明に係るテープは、前記第１目盛間の距離は１０センチメートルであり、前記ｎは５又は１０であることを特徴とする。
【００１３】
本発明においては、第１目盛間の距離を１０センチメートルとし、第２目盛間の距離を５０センチメートル又は１メートルとすることによって施工業者は施工距離を容易に計算することができる。
【００１４】
本発明に係るテープは、前記第１目盛は、前記テープ本体の長手方向に直角な方向の線分であり、前記第２目盛は、前記テープ本体の長手方向に直角な方向に延びた前記第１目盛よりも長い線分、多重線又は前記第１目盛よりも太い線であることを特徴とする。
【００１５】
本発明においては、第１目盛を短寸の線分とし、第２目盛を長寸の線分、多重線又は太線とすることによって、施工業者は、第１目盛及び第２目盛を視覚にて容易に区別でき、施工距離を容易に且つ短時間で計算することができる。
【００１６】
本発明に係るテープは、前記テープは部材間にシーリング材を充填する場合に、前記部材に貼付する養生テープであることを特徴とする。
【００１７】
本発明においては、シーリング材を充填する場合の養生テープとして使用する。
【発明の効果】
【００１８】
本発明に係るテープにあっては、テープに目盛を付すことによって、測定対称の長さを容易に確認することができる。例えばテープを窓枠及び窓ガラスに貼付してシーリング材の充填を行った後、テープを窓枠又は窓ガラスから剥がす前に、施工業者は、測定器具を使用することなく、目盛に基づいて施工距離を確認することができ、施工距離の測定作業を削減することができる。また壁に発生したクラックの長さを測定する場合、テープをクラックの隣に貼付して、テープ及びクラックを収めた写真を撮影し、該写真を示して壁に発生したクラックの長さを明確に説明することができる。
【図面の簡単な説明】
【００１９】
【図１】芯の周りに巻回した実施の形態に係る養生テープを示す斜視図である。
【図２】養生テープの拡大断面図である。
【図３】養生テープの平面図である。
【図４】窓枠に窓ガラスを取り付けた窓を示す正面図である。
【図５】窓の断面図である。
【図６】窓枠及び窓ガラスに養生テープを貼付した窓を示す正面図である。
【図７】充填したシーリング材が硬化した後の窓を示す正面図である。
【図８】実施の形態の変形例１に係る養生テープの平面図である。
【図９】実施の形態の変形例２に係る養生テープの平面図である。
【図１０】実施の形態の変形例３に係る養生テープの平面図である。
【発明を実施するための形態】
【００２０】
図１は芯の周りに巻回した養生テープ１を示す斜視図、図２は養生テープの拡大断面図、図３は養生テープの平面図である。図３において、上側に表示された養生テープの右端とその直下に表示された養生テープの左端は連続しているものとする。
図１に示すように、円筒形の芯１００の周囲に養生テープ１が巻回している。図２に示すように、養生テープ１は細長い矩形のテープ本体１０を備えており、テープ本体１０の裏面には粘着層１３が設けてある。テープ本体１０は布又は紙等からなり、例えば不織布によって構成されている。
【００２１】
図３に示すように、テープ本体１０の表面には、長手方向に対して直角な線分である第１目盛１１及び第２目盛１２が長手方向に等間隔（１０センチメートル、以下センチメートルをｃｍと略示する）を空けて付してある。第２目盛１２は二重線になっている。
【００２２】
テープ本体１０の長手方向に対して直角な方向（以下幅方向）において、第１目盛１１の寸法及び第２目盛１２の寸法は、テープ本体１０の幅と略等しい。養生テープ１が芯１００の周りに巻回している場合、粘着層１３はテープ本体１０の表面に密着しているが、テープ本体１０の表面から容易に剥離するようにしてある。
【００２３】
四つの第１目盛１１，１１，１１，１１が、１０ｃｍの間隔を空けて順に付してあり、四つ目の第１目盛１１の後に、１０ｃｍの間隔を空けて第２目盛１２が付してある。第２目盛１２の後に、１０ｃｍの間隔を空けて、前述の四つの第１目盛と同様に、四つの第１目盛１１，１１，１１，１１が１０ｃｍの間隔を空けて順に付されており、これを繰り返している。隣合う第１目盛１１，１１間の長さ並びに隣合う第１目盛１１及び二重線に係る第２目盛１２の中央部間の長さは１０ｃｍである。また二重線に係る一の第２目盛１２の中央部と、該一の第２目盛１２に隣合う他の第２目盛１２の中央部との間の長さは５０ｃｍである。なお第２目盛１２を三重線以上の多重線にしてもよい。
【００２４】
次に養生テープ１の使用方法について説明する。図４は窓枠に窓ガラスを取り付けた窓を示す正面図、図５は窓の断面図、図６は窓枠及び窓ガラスに養生テープ１を貼付した窓を示す正面図である。なお図５Ａは図４にて示したＶ−Ｖ線における断面図であり、養生テープ１を貼付する前であって、シーリング材を充填する前の窓を示し、図５Ｂは養生テープ１を貼付した後であって、シーリング材を充填する前の窓を示し、図５Ｃはシーリング材を充填した後であって、養生テープ１を貼付した後の窓を示す。図４及び図５Ａは、例えば新規に製作する窓又は劣化した既設のシーリング材を除去した後の窓等を示す。
【００２５】
図４及び図５Ａに示すように、窓枠８０は矩形をなし、その内縁部に全周に亘って溝８１を形成してある。溝８１の幅は窓ガラス９０の厚さよりも十分に大きい。溝８１の底面には、窓枠８０の全周に亘って窓ガラス９０が嵌合する嵌合溝８２が形成してある。嵌合溝８２の幅は窓ガラス９０の厚さと略同じである。窓ガラス９０は窓枠８０よりも一回り小さい矩形をなし、その外縁部を嵌合溝８２に嵌合させて、窓枠８０に取り付けてある。窓ガラス９０の両面と溝８１の両側面との間には隙間がある。
【００２６】
次に図５Ｂに示すように、養生テープ１を適当な長さに切断し、溝８１の縁に隣接しており、溝８１と並行に延びる窓枠８０の内側面８３全体と、窓ガラス９０両面の外周縁部全体とに貼付する。養生テープ１の裏面の粘着層１３によって、養生テープ１は内側面８３及び窓ガラス９０に密着する。そして図５Ｃに示すように、窓ガラス９０と溝８１との隙間にシーリング材１００を充填し、硬化するまで待機する。
【００２７】
シーリング材１００の硬化後、シーリング材１００の充填に係る施工距離を計算する。図６に示すように、養生テープ１を貼付した後、窓を視認した場合、窓ガラス９０に貼付した養生テープ１が視認される。そのため養生テープ１に付した第１目盛１１及び第２目盛１２に基づいて、シーリング材１００の充填に係る施工距離を目視にて容易に計算することができる。なお施工距離の計算は養生テープ１を窓枠８０及び窓ガラス９０に貼付した後に行えばよく、シーリング材１００が硬化する前に行ってもよい。
【００２８】
図７は充填したシーリング材１００が硬化した後の窓を示す正面図である。図７に示すように、施工距離の計算後、養生テープ１を窓枠８０及び窓ガラス９０から剥がし、シーリング材１００の充填に係る施工作業を終了する。
【００２９】
次に養生テープ１の変形例を説明する。図８は変形例１に係る養生テープ１の平面図である。図８において、上側に表示された養生テープ１の右端とその直下に表示された養生テープ１の左端は連続しているものとする。図８に示すように、第２目盛１２２は第１目盛１１よりも太い線になっており、太い線に係る一の第２目盛１２２の中央部と、該第２目盛１２２に隣合う他の第２目盛１２２の中央部との間の長さは５０ｃｍである。
【００３０】
図９は変形例２に係る養生テープ１の平面図である。図９において、上側に表示された養生テープ１の右端とその直下に表示された養生テープ１の左端は連続しているものとする。図９に示すように、第１目盛１１の幅方向の長さは第２目盛１２の約半分である。この場合、幅方向の長さが第１目盛１１及び第２目盛１２とで異なるため、第２目盛１２は単線でもよい。
【００３１】
図１０は変形例３に係る養生テープ１の平面図である。図１０において、上側に表示された養生テープ１の右端とその直下に表示された養生テープ１の左端は連続しているものとする。図１０に示すように、九つの第１目盛１１，１１，・・・，１１が、１０ｃｍの間隔を空けて順に付してあり、九つ目の第１目盛１１の後に、１０ｃｍの間隔を空けて第２目盛１２が付してある。第２目盛１２の後に、１０ｃｍの間隔を空けて、前述したように、九つの第１目盛１１，１１，・・・，１１が１０ｃｍの間隔を空けて順に付されており、これを繰り返している。隣合う第１目盛１１間の長さ並びに第１目盛１１及び第２目盛１２の中央部間の長さは１０ｃｍであり、隣合う第２目盛１２の中央部間の長さは１メートルである。なお隣合う第２目盛１２間の長さは、隣合う第１目盛１１間の長さの整数倍であればよく、例えば隣合う第２目盛１２間の長さが１．５メートル又は２メートルとなるように第１目盛１１及び第２目盛１２をテープ本体１０に付してもよい。
【００３２】
実施の形態に係る養生テープ１にあっては、養生テープ１に目盛を付すことによって、例えば養生テープ１を窓枠８０及び窓ガラス９０に貼付してシーリング材１００の充填を行った後、養生テープ１を窓枠８０又は窓ガラス９０から剥がす前に、施工業者は、測定器具を使用することなく、目盛に基づいて施工距離を確認することができ、施工距離の測定作業を削減することができる。
【００３３】
隣合う第１目盛１１間又は第１目盛１１及び第２目盛１２の間を視認することによって、所定距離を確認し、隣合う第２目盛１２間を視認することによって、所定距離の整数倍（少なくとも２倍以上）の距離を確認することができ、目視にて容易に施工距離を計算することができる。第１目盛１１間の距離を１０センチメートルとし、第２目盛１２間の距離を５０センチメートル又は１メートルとすることによって施工業者は施工距離を容易に且つ速やかに計算することができる。第１目盛１１を細い単線とし、第２目盛１２，１２２を多重線又は太線とするか、第１目盛１１を短寸の線分とし、第２目盛１２を長寸の線分とすることによって、施工業者は、第１目盛１１及び第２目盛１２，１２２を視覚にて容易に区別でき、施工距離を容易に且つ短時間で計算することができる。
【００３４】
なお養生テープ１の使用は、窓枠８０と窓ガラス９０との隙間にシーリング材１００を充填する場合に限定されず、台所又は洗面設備における部材間の隙間にシーリング材１００を充填する場合等にも使用できることは言うまでもない。
【００３５】
実施の形態では本発明に係るテープを養生テープとして使用する場合を説明しているが、他の測定対象の長さを測定する場合に使用することもできる。例えば壁に発生したクラックの長さを測定する場合、実施の形態と同様な目盛を付したテープをクラックの隣に貼付することによって、クラックの長さを容易に把握することができる。またクラックの隣にテープを付して写真撮影し、撮影した写真を示すことで、壁に発生したクラックの長さを明確に説明することができる。なお第１目盛１１と第２目盛１２，１２２とを異なる色で表記してもよい。
【００３６】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００３７】
１  養生テープ（テープ）
１０  テープ本体
１３  粘着層
１１  第１目盛
１２、１２２  第２目盛
【図１】
2013139505.tif 000003
【図２】
2013139505.tif 000004
【図３】
2013139505.tif 000005
【図４】
2013139505.tif 000006
【図５】
2013139505.tif 000007
【図６】
2013139505.tif 000008
【図７】
2013139505.tif 000009
【図８】
2013139505.tif 000010
【図９】
2013139505.tif 000011
【図１０】
2013139505.tif 000012